(57)【特許請求の範囲】
【請求項１】
護岸に接する水側の一部分を前記護岸と矢板で包囲し、前記護岸と前記矢板で包囲された部分から排水してドライワークするための河川締切止水工法であって、
前記矢板を所定の位置に配置する工程と、
前記矢板の外側で前記護岸と前記矢板との間に別の矢板を連接して、前記護岸、前記矢板及び前記別の矢板によって２重締切部分を形成する工程と、
前記２重締切部分の内周面に沿ってシート部材を配置する工程と、
前記２重締切部分の前記シート部材の内側に中詰土砂を充填する工程と、
前記護岸及び前記矢板で包囲された部分から排水してドライワークを行う工程と、
前記２重締切部分内の中詰土砂、前記矢板及び前記シート部材を撤去する工程とを含むことを特徴とする河川締切止水工法。
【請求項２】
前記矢板は鋼矢板であり、前記鋼矢板を予め所定枚数だけ接続して接続部分にシール材を塗布した後、所定の位置に配置することを特徴とする請求項１に記載の河川締切止水工法。
【発明の詳細な説明】
【０００１】
【発明の属する技術分野】
本発明は、河川締切止水工法に関する。
【０００２】
【従来の技術】
河川などの護岸に、例えば貯水池などの排水口を設ける場合、排水口を設ける部分に接する河川の一部分を鋼矢板で包囲して排水し、ドライワークをするのが一般的である。この場合、従来は図３に示すように鋼矢板５０を２重に設置し、その間に中詰中詰土砂５１を充填して鋼矢板５０の内側を密閉し、水中ポンプ５２で鋼矢板５０の内側を排水していた。なお、図中の符号５３は護岸、５４はタイロッドである。
【０００３】
【発明が解決しようとする課題】
しかしながら、従来の河川締切止水工法においては、２重の鋼矢板５０の間に大量の中詰土砂５１を充填しなければならず、また、これを作業終了後に撤去しなければならないので、手間がかかるという問題があった。また、護岸５３と鋼矢板５０の接続部分のシールを確実なものにするため、鋼矢板５０を護岸５３に食い込むように設置していたので、護岸５３の一部が破壊されるという問題があった。
【０００４】
本発明の目的は、このような問題点を解決するためになされたものであり、中詰土砂の使用量を大幅に減少することができると共に、護岸が破壊されるのを防止することが可能な河川締切止水工法を提供することにある。
【０００５】
【課題を解決するための手段】
本発明は河川締切止水工法であり、前述の技術的課題を解決するために以下のように構成されている。すなわち、本発明は、護岸に接する水側の一部分を前記護岸と矢板で包囲し、前記護岸と前記矢板で包囲された部分から排水してドライワークするための河川締切止水工法であって、前記矢板を所定の位置に配置する工程と、前記矢板の外側で前記護岸と前記矢板との間に別の矢板を連接して、前記護岸、前記矢板及び前記別の矢板によって２重締切部分を形成する工程と、前記２重締切部分の内周面に沿ってシート部材を配置する工程と、前記２重締切部分の前記シート部材の内側に中詰土砂を充填する工程と、前記護岸及び前記矢板で包囲された部分から排水してドライワークを行う工程と、前記２重締切部分内の中詰土砂、前記矢板及び前記シート部材を撤去する工程とを含むことを特徴とする。
【０００６】
前記矢板は鋼矢板とし、前記鋼矢板を予め所定枚数だけ接続して接続部分にシール材を塗布した後、所定の位置に配置することができる。
（作用）
本発明に係る河川締切止水工法によれば、護岸と矢板の接続部の外側に形成された２重締切部分内に充填された中詰土砂が、２重締切部分の内周面に配置されたシート部材によって流出防止されるので、この接続部から内部に浸水するのを防止できると共に、矢板を護岸から少し離して配置することができる。
【０００７】
また、矢板を鋼矢板とし、この鋼矢板同士の接続部にシール材を塗布することにより、シール効果を高めることができる。
【０００８】
【発明の実施の形態】
以下、本発明に係る河川締切止水工法の実施の形態について、図面を参照して詳細に説明する。
【０００９】
図１は、本発明に係る河川締切止水工法を説明する図である。この河川締切止水工法は、河川などの護岸１に接する水側の一部分を、護岸１と矢板２で包囲し、この護岸１と矢板２で包囲された部分から排水して、ドライワークによって例えば貯水池（図示せず）などの排水口３を護岸１に施工するものである。護岸１の表面は、例えばパイプ１１などを並べることにより保護されている。
【００１０】
ここでは、まず矢板２、本実施の形態では鋼矢板２を河川内に埋設する前に必要枚数だけ接続し、その接続部に例えばパイルロック（水膨張性ゴム）などのシール材を塗布する。このシール材としては、パイルロック以外に樹脂など任意のものを使用できる。次に、これらの接続した複数の鋼矢板２を河川内の所定の位置に埋設する。本実施の形態では、包囲した部分が長方形になるように鋼矢板２を埋設する。このときには、腹起し５、梁６及び火打ち７などを適宜使用して、鋼矢板２を補強する。
【００１１】
また、このときには、図２に示すように護岸１のパイプ１１から鋼矢板２の端部を少し離しておく。これは、護岸１が鋼矢板２によって破壊されるのを防止するためである。次に、鋼矢板２の外側で護岸１と鋼矢板２との間に別の鋼矢板８を連接して、鋼矢板２、８と護岸１とによって２重締切部分を形成する。別の鋼矢板８の端部も、護岸１から少し離しておく。本実施の形態では、２重締切部分が３角形状になっている。
【００１２】
次に、この２重締切部分の内周面に沿って、シート部材９を配置する。このシート部材９は、布製や樹脂製など適宜なものを使用できる。次に、シート部材９の内側に例えば砂質の中詰土砂１０を充填する。中詰土砂１０には、補強用の薬液を注入する。これにより、中詰土砂１０の止水効果が高まり、鋼矢板２と護岸１との接続部分が完全に密封される。また、河川の干満の水位差、河川の流れによる中詰土砂１０の流出、及び水漏れを防止できる。次に、従来と同様に護岸１と鋼矢板２によって包囲された部分の排水を行う。
【００１３】
この後、ドライワークによって排水口３（図１）の施工を行う。排水口３の施工完了後は、２重締切部分の中詰土砂１０、鋼矢板８及びシート部材９を撤去し、続いて鋼矢板２内に給水して鋼矢板２を撤去する。腹起こし５、梁６、火打ち７は適宜なタイミングで撤去する。これによって、本工法が終了する。
【００１４】
上述のように、本発明に係る河川締切止水工法によれば、鋼矢板２の接続部にパイルロックなどのシール材を塗布すると共に、鋼矢板２と護岸１との接続部に２重締切部分を形成し、その内周面にシート部材９を配置して更に中詰土砂１０を充填したので、護岸１と鋼矢板２との接続部から浸水するのを確実に防止できる。
【００１５】
したがって、従来のように鋼矢板２を２重にしてその間に中詰土砂を充填することなく、鋼矢板２を１枚だけ使用してシール性を確保できるので、中詰土砂１０の使用量を大幅に減少できるため、中詰土砂１０の充填作業及び撤去作業を大幅に低減することができる。また、締切に必要な厚さは従来のように２重締切とした場合に比べて大幅に薄くなるので、河川幅が狭い場合でも航路幅を確保することができる。更に、鋼矢板２、８を護岸１から少し離して配置しても、接続部のシール性を確保できるので、護岸１が鋼矢板２、８によって破壊されるのを防止することができる。
【００１６】
なお、上述の実施の形態では河川の護岸１に接した河川側の一部分を締め切る場合について説明したが、本発明は海や湖沼などの護岸に接した一部分を締め切ってドライワークする場合にも適用できる。また、鋼矢板２に代えてコンクリート製や木材製などの矢板を使用することができる
【００１７】
【発明の効果】
以上説明したように、本発明によれば、護岸と矢板の接続部に２重締切部分を形成し、その内周面にシート部材を配置して中詰土砂を充填したので、接続部からの浸水を確実に防止できると共に、矢板を護岸から離して配置できるので、護岸が破壊されるのを防止できる。また、従来のように矢板を２重にしてその内側に中詰土砂を充填する必要がなくなるので、中詰土砂の使用量を大幅に減少でき、これにより、中詰土砂の充填及び撤去作業を大幅に低減できる。
【００１８】
また、矢板として鋼矢板を使用し、その接続部分にシール材を塗布した場合には、更にシール性を高めることができる。
【図面の簡単な説明】
【図１】本発明に係る河川締切止水工法を説明する上面図である。
【図２】本発明に係る河川締切止水工法の鋼矢板と護岸との接続部分を示す上面図である。
【図３】従来例に係る河川締切止水工法を説明する断面図である。
【符号の説明】
１  護岸
２、８  矢板
９  シート部材
１０  中詰土砂
【図１】
0004159180.tif 000002
【図２】
0004159180.tif 000003
【図３】
0004159180.tif 000004